(57)【要約】      （修正有）【課題】着圧を三段階に変化を付け、効果的に骨盤を押えることにより下腹部とヒップラインを整容し、骨盤を矯正するとともに、着用中のずれを防止する骨盤押さえベルトを提供する。【解決手段】着用者の腰回りを被覆可能に形成された身生地と、該身生地に重ね合わされ縫着された緊締力を有する上段布部２および下段布部３と、該身生地の左右両端部に設けられた互いに係合自在な係合部４を備えて骨盤押さえベルトを構成する。前記上段布部は着用者の下腹部より腰回りにかけて骨盤を上方から支持するように縫着され、前記下段布部は着用者の下腹部より臀部にかけて骨盤を下方から支持するように縫着されており、身生地の両端部付近であって着用者の下腹部にあたる位置には上段布部と下段布部と身生地とによる重複部６が２箇所形成され、該２箇所の重複部の間であって着用者の背中側にあたる位置には身生地のみによる非重複部７を形成する。【選択図】図２
0003171808.tif 000002
【実用新案登録請求の範囲】
【請求項１】
着用者の腰回りを被覆可能に形成された身生地と、該身生地に重ね合わされ縫着された緊締力を有する上段布部および下段布部と、該身生地の左右両端部に設けられた互いに係合自在な係合部を備えた骨盤押さえベルトであって、前記上段布部は着用者の下腹部より腰回りにかけて骨盤を上方から支持するように縫着され、前記下段布部は着用者の下腹部より臀部にかけて骨盤を下方から支持するように縫着されており、身生地の両端部付近であって着用者の下腹部にあたる位置には上段布部と下段布部と身生地とによる重複部が２箇所形成され、該２箇所の重複部の間であって着用者の背中側にあたる位置には身生地のみによる非重複部が形成されることを特徴とする骨盤押さえベルト。
【請求項２】
前記上段布部および下段布部は、ともに前記身生地より強い緊締力を有することを特徴とする請求項１に記載の骨盤押さえベルト。
【請求項３】
前記上段布部は前記身生地の両端部から身生地の上辺に沿って縫着され、前記下段布部は前記身生地の両端部から身生地の下辺に沿って縫着されていることを特徴とする請求項１または請求項２のいずれかに記載の骨盤押さえベルト。
【請求項４】
前記身生地を長手方向に略３等分する部分に補強部を設けたことを特徴とする請求項１ないし３のいずれか１項に記載の骨盤押さえベルト。
【請求項５】
前記身生地は伸縮性を有する生地で形成されることを特徴とする請求項１ないし４のいずれか１項に記載の骨盤押さえベルト。
【考案の詳細な説明】
【技術分野】
【０００１】
本考案は、着用時に違和感や窮屈感がなく、下腹部、ヒップラインの整容と骨盤の矯正を同時に且つ効果的に行うことを目的とする骨盤押さえ機能を有するベルトに関するものである。
【背景技術】
【０００２】
従来、下腹部、ヒップラインの整容と骨盤の矯正を同時に且つ効果的に行うことを目的とする骨盤押えベルト及びベルト付きガードルがある。例えば、特許文献１には、腰部に捲回される帯状の骨盤矯正片を設け、骨盤矯正片の先端部にそれぞれホック等の係脱手段を設けた矯正用ガードルが開示されている。また、特許文献２には、腹部に設けた締め付けベルトの後ろ側に臀部を囲む切り欠き部を形成して、この切り欠き部によってヒップアップ機能を持たせたパンテイガードルが開示されている。
【０００３】
しかし、特許文献１のようにベルト部分を１枚仕立にした場合、着圧が均等にかかるため、効果的に骨盤を押さえ込むことができない。また、着圧を部分的に加減できないため
、着圧を全体的に弱くするか強くするほかなく、弱くすれば効果が薄れ、強くすれば臀部の丸みを押し潰す程の着圧がかかり、ヒップラインを美しく整えることができない。また
、特許文献２のようにベルト部分に切欠き部等を穿設し、着圧を変化させ、効果的に骨盤を押さえ込む機能の有するためには、特殊な伸縮生地の製造や穿設等の製造工程が必要となるなど、製造上の問題を有していた。
【先行技術文献】
【特許文献】
【０００４】
【特許文献１】特開平６−１７３１０１
【特許文献２】実用新案登録第３０７６９１０号
【考案の概要】
【考案が解決しようとする課題】
【０００５】
そこで本考案は、身生地に身生地より強い緊締力を有する上段布部と下段布部とを重ね合わせ、骨盤全体を包み込むように着圧を三段階に変化を付け、効果的に骨盤を押えることにより下腹部、ヒップラインの整容と骨盤の矯正を同時に且つ効果的に行うとともに、着用中のずれを防止する骨盤押さえベルトを提供することをその課題とするものである。
【課題を解決するための手段】
【０００６】
本考案は、上記課題を解決するものであり、着用者の腰回りを被覆可能に形成された身生地と、該身生地に重ね合わされ縫着された緊締力を有する上段布部および下段布部と、該身生地の左右両端部に設けられた互いに係合自在な係合部を備えた骨盤押さえベルトであって、前記上段布部は着用者の下腹部より腰回りにかけて骨盤を上方から支持するように縫着され、前記下段布部は着用者の下腹部より臀部にかけて骨盤を下方から支持するように縫着されており、身生地の両端部付近であって着用者の下腹部にあたる位置には上段布部と下段布部と身生地とによる重複部が２箇所形成され、該２箇所の重複部の間であって着用者の背中側にあたる位置には身生地のみによる非重複部が形成されることを特徴とする骨盤押さえベルトである。
【考案の効果】
【０００７】
本考案の骨盤押さえベルトは、身生地に身生地より強い緊締力を有する上段布部と下段布部とを重ね合わせることにより、骨盤全体を包みこむよう上段布部と下段布部で補整するとともに、最も気になる下腹部分を身生地と上段布部と下段布部の３重構造による重複部により強く引き締め、下腹部を整容することができる。また、背面に身生地のみからなる非重複部を設けることにより着圧に変化を付け、臀部の丸みを押し潰さずヒップラインを整容することができ、かつ着用中のベルトのずれを防止することができる。  
【図面の簡単な説明】
【０００８】
【図１】本考案に係る骨盤押さえベルトの正面図。
【図２】本考案に係る骨盤押さえベルトの背面図。
【図３】本考案に係る骨盤押さえベルトを着用した状態を表す正面図。
【図４】本考案に係る骨盤押さえベルトを着用した状態を表す側面図。
【図５】本考案に係る骨盤押さえベルトを着用した状態を表す背面図。
【考案を実施するための形態】
【０００９】
以下、本考案の骨盤押さえベルトの一実施態様を、図面に基づいて具体的に説明する。なお、本考案はこれら実施態様に何ら制約されるものではない。
【００１０】
図１は本考案に係る骨盤押さえベルトの正面図、図２は同背面図である。図中、１は身生地、２は上段布部、３は下段布部、４は係合部、５はウエストゴム、６は重複部、７は非重複部、８は補強部、２１は上段布部下縁、３１は下段布部下縁、３２は下段布部上縁、４１はフック部をそれぞれ示す。
【００１１】
図に示すように、本考案にかかる骨盤押さえベルトは、腰部を被覆する身生地１と、その身生地１に重ね合わされて縫着された上段布部２および下段布部３と、骨盤押さえベルトを着用する際に係合される係合部４、さらに、身生地１の上部に縫着されたウエストゴム５とからなる。
【００１２】
以下、各部について詳述する。身生地１は、着用者の腰回りを被覆することができる帯状に形成され、着用時にその端部を留めるための係合部４が両端に設けられている。身生地１は、伸縮性を有する生地で形成することが好ましく、具体的には装飾性を有するストレッチレース生地を好適に使用することができる。また、係合部４は、本実施態様では互いに係合可能なフック４１を備えているが、身生地１の両端部を互いに係合できれば特にフックには限定されず、ボタン、ベルクロ（登録商標）等でもよい。
【００１３】
上段布部２は、中央（背中側）より両端側（腹部側）の方がやや幅広の帯状に形成され、身生地１の両端部から身生地１の上辺に沿うような形で身生地１に重ね合わされて縫着されている。また、下段布部３は、ほぼ等幅の帯状に形成され、身生地１の両端部から身生地１の下辺に沿うような形で身生地１に重ね合わされて縫着されている。そして、身生地１の両端部付近では、上段布部２と下段布部３および身生地１とが３層に重なり合って２箇所の重複部６が形成される。また更に、身生地１の２箇所の重複部６の間には、身生地１が上段布部２と下段布部３のいずれとも重なり合わず、身生地１のみで構成される非重複部７が形成される。なお、身生地１、上段布部２、下段布部３の重ね合わされる順番は、身生地１が着用時にもっとも外側になればよく、上段布部２および下段布部３の重複部６については、いずれが内側あるいは外側でも構わない。
【００１４】
上段布部２と下段布部３は、ともに身生地１よりも強い緊締力を有する生地により形成されており、具体的には、ナイロンなどにポリウレタン弾性繊維を交編して形成されるいわゆるパワーネット等を好適に使用することができる。上段布部２および下段布部３として使用されるパワーネットは、横方向にポリウレタン弾性繊維が編み込まれているため、特に横方向への緊締性が高い。
【００１５】
上述のとおり、身生地１は伸縮性を有する生地で形成し、上段布部２と下段布部３は身生地１よりも緊締力が強い生地で形成することにより、重複部６、非重複部７、およびそれ以外の部分で身生地１と上段布部２の下段布部３のいずれかが２層に重なっている部分とで、着圧が３段階に変化する。すなわち、重複部６において着圧が最も強く、次に身生地１と上段布部２の下段布部３のいずれかが２層に重なっている部分が中程度の着圧となり、そして、非重複部７において最も着圧が弱くなる。
【００１６】
身生地１の上部には、ウエストゴム５が設けられており、また、身生地１を長手方向におよそ３等分する部分には２箇所の補強部８が設けられている。補強部８は、着用者が屈んだ際などに生地に強い張力がかかる部位に設けられており、これにより、本考案の骨盤押さえベルトの強度を高めることができる。
【００１７】
図３ないし５は本考案の骨盤押さえベルトを装着した状態を表す正面図、側面図、および背面図である。各図に示すように、本考案の骨盤押さえベルトは、腰回りに巻かれた状態で係合部４が着用者の下腹部正面で係合されて装着される。係合部４の両側には着圧が最も強い重複部６が設けられているため、最も気になる下腹部分を引き締めてたるみを抑えることができる。そして、上段布部２は下腹部より腰回りにかけて骨盤を上方から支持するように、また、下段布部３は下腹部より臀部にかけて骨盤を下方から支持するように配置されるため、中程度の着圧が骨盤全体を包みこみように上下二段に働き、骨盤を押えることができ、腰周りや臀部のたるみの抑えと骨盤の矯正との複合効果を有する。さらに、身生地１のみからなる非重複部７が背中側に位置し、最も弱い着圧になり、臀部の丸みを押し潰さずヒップラインを美しく整えることができるとともに、ベルト着圧の吸収孔となり、着用中のベルトのずれを防止できる。
【符号の説明】
【００１８】
１……身生地
２……上段布部
３……下段布部
４……係合部
５……ウエストゴム
６……重複部
７……非重複部
８……補強部
２１……上段布部下縁
３１……下段布部下縁
３２……下段布部上縁
４１……フック部
【図１】
0003171808.tif 000003
【図２】
0003171808.tif 000004
【図３】
0003171808.tif 000005
【図４】
0003171808.tif 000006
【図５】
0003171808.tif 000007